(57)【特許請求の範囲】
【請求項１】
液保持性の吸収層及び液不透過性の防漏層を有し、実質的に縦長で、前方部に１本又は２本の長手方向に沿った５０ｃＮ／３０ｍｍ以上のシール強度を有する防漏溝が形成され、後方部に３本以上の長手方向に沿った５０ｃＮ／３０ｍｍ以上のシール強度を有する防漏溝が形成されており、
前記前方部に形成された前記防漏溝の幅は、前記後方部に形成された前記防漏溝の幅よりも大きい吸収性物品。
【請求項２】
液保持性の吸収層及び液不透過性の防漏層を有し、実質的に縦長で、前方部に１本又は２本の長手方向に沿った防漏溝が形成され、後方部に３本以上の長手方向に沿った防漏溝が形成されている、吸収性物品の製造方法であって、
前記吸収層の表面側から前記防漏溝形成用の押圧部を有する押圧ロールにより押圧して前記防漏溝を形成する防漏溝形成工程を具備し、
前記押圧部における前記前方部を形成する部位の幅は、該押圧部における前記後方部を形成する部位の幅よりも大きく、
前記防漏溝形成工程は、前記前方部と前記後方部とで押圧時の圧力が均一となるように行う吸収性物品の製造方法。
【発明の詳細な説明】
【０００１】
【発明の属する技術分野】
本発明は、漏れ防止性に優れ、装着性にも優れた、生理用ナプキン等の吸収性物品に関する。
【０００２】
【従来の技術及び発明が解決しようとする課題】
従来より、液保持性の吸収層及び液不透過性の防漏層を有し、該吸収層の表面側に防漏溝が設けられた吸収性物品は、種々提案され、用いられている。
この防漏溝は、一旦吸収した体液の拡散を抑制して、漏れを防止すると共に、装着性も良好にするものである。
そして、このような効果をより向上させるために、着用者の前方に位置する前方部には防漏溝の数を２本とし、着用者の後方に位置する後方部に防漏溝を３本以上形成したものが提案されている。
しかし、このように防漏溝の数を異ならせた吸収性物品では、防漏溝の数が多い部分では防漏溝の圧着が不十分となり、溝が浅くなったり、表面シートが表面シートの切れや浮きを生じて吸収体から剥離してしまい、漏れ防止性能及び装着性が低下する場合があるという問題があった。
【０００３】
従って、本発明の目的は、漏れ防止性能に優れ、装着性にも優れた吸収性物品を提供することにある。
【０００４】
【課題を解決するための手段】
本発明は、液保持性の吸収層及び液不透過性の防漏層を有し、実質的に縦長で、前方部に１本又は２本の長手方向に沿った５０ｃＮ／３０ｍｍ以上のシール強度を有する防漏溝が形成され、後方部に３本以上の長手方向に沿った５０ｃＮ／３０ｍｍ以上のシール強度を有する防漏溝が形成されており、前記前方部に形成された前記防漏溝の幅は、前記後方部に形成された前記防漏溝の幅よりも大きい吸収性物品を提供することにより前記目的を達成したものである。
【０００５】
【発明の実施の形態】
以下、本発明の好ましい一実施形態について説明する。
第１の実施形態の吸収性物品としての生理用ナプキン１は、図１及び２に示すように、液保持性の吸収層２及び液不透過性の防漏層３を有し、実質的に縦長で、前方部４に２本の長手方向に沿った防漏溝６が形成され、後方部５に３本以上の長手方向に沿った防漏溝６が形成されている。
本実施形態の生理用ナプキン１は、吸収層２が液透過性の表面シート２１と液保持性の吸収体２２とからなる。
また、吸収体２２は、防漏層３側に位置する第１吸収体２３と、第１吸収体２３の上方に載置された、第１吸収体２３より小さく細長形状の第２吸収体２４とからなる。第１吸収体２３及び第２吸収体２４は、それぞれパルプ集合体２５を台紙２６で包んで形成されている。また、第２吸収体２４の周囲に防漏溝６が形成されている。
また、表面シート２１は、その左右両側が、第１吸収体２３の裏面側に巻き込まれている。また、表面シート２１は、吸収体２２の左右両側上で折り返されて、左右一対の防漏壁７を形成している。
また、防漏層３は、液不透過性の防漏シート３１と、防漏シート３１の左右両側上に積層された肌当接用シート３２とからなる。
吸収層２と防漏層３とは、防漏層３における肌当接用シート３２が配されていない中央部において、表面シート２１及び第１吸収体２３の台紙２６と防漏シート３１とを接着剤２７を介して接着されている。
【０００６】
また、本実施形態の生理用ナプキン１は、いわゆる夜用の生理用ナプキンであり、防漏層３を幅方向外方に延出させて形成された左右一対のフラップ８が前方部４側に偏寄されている。また、図示しないが、フラップ８の裏面側及び吸収層２が接着された防漏層３の裏面側には、粘着剤が塗布されて、物品固定部が形成されている。
本実施形態における前方部４は、着用時に着用者の前方に位置する部位で、本実施形態では着用時に着用者の排泄部に当接する部分を含む。排泄部に当接する部分の長手方向の長さは好ましくは３〜２０ｃｍであり、更に好ましくは５〜１５ｃｍである。本実施形態のように排泄部に当接する部分の側方にはフラップ８が設けられていることが好ましい。前方部４における排泄部に当接する部分よりも前端縁側に位置する部分の長さは、好ましくは１〜１０ｃｍ、更に好ましくは５〜１５ｃｍである。また、後方部５とは、着用時に着用者の後方に位置する部分であり、本実施形態では、排泄部に当接する部分よりも後端縁よりに位置する部分である。後方部の長手方向長さは、好ましくは３〜３０ｃｍであり、更に好ましくは５〜２０ｃｍである。
【０００７】
防漏溝６としては、前方部４には生理用ナプキン１の長手方向に沿って２本の防漏溝６０ａが、後方部５には生理用ナプキン１の長手方向に沿って４本の防漏溝６０ｂが設けられている。前方部４の２本の防漏溝６０ａ，６０ａは、前方の端部で半円形の連結防漏溝６０ｅを介して連結されており、後方部５の４本の防漏溝６０ｂ，６０ｂ・・・のうち、内方の２本の防漏溝６０ｃ，６０ｃ及び外方の２本の防漏溝６０ｄ，６０ｄは、それぞれ後端部で半円形の連結防漏溝６０ｅ，６０ｅを介して連結されている。
また、防漏溝６は、多数の矩形状のシール部（図示せず）を連続的に形成して、線状となされており、表面シート２１を、パルプ集合体２５まで凹状に押し込んで形成されている。
【０００８】
而して、本実施形態の生理用ナプキン１においては、前方部４に設けられた２本の防漏溝６及び後方部５に設けられた４本の防漏溝６の何れもが、それぞれ５０ｃＮ／３０ｍｍ以上、好ましくは７０〜５００ｃＮ／３０ｍｍのシール強度を有する。
前記シール強度が、５０ｃＮ／３０ｍｍ未満であると、防漏溝の圧着が不十分となり、溝が浅くなったり、表面シールが吸収体から剥離したりし、防漏性が低下し、装着感も悪くなる。
前方部４及び後方部５における防漏溝６のシール強度は、上述のシール強度を満足すれば特に制限はないが、前方部４におけるシール強度は、７０〜５００ｃＮ／３０ｍｍであるのが好ましく、後方部５におけるシール強度は３５〜２５０ｃＮ／３０ｍｍであるのが好ましい。
前記シール強度の測定法は、下記する通りである。
幅３０ｍｍで帯状に且つ溝がほぼ中央を横切って位置するように吸収層を切り出し、２０℃、６５％ＲＨの環境下にて、テンシロン引っ張り試験機（東洋ボールドウィン社製、「ＲＴＭ−２５」を用いて、下部チャックに表面シート、上部チャックにそれ以外の部分を固定し、剥離速度３００ｍｍ／ｍｉｎの速さで１８０°方向（溝の長さ方向と略直角方向）に引き剥がした。そのときの最大値５点の平均をとり、更に３サンプルの平均をとり、これをシール強度とした。
【０００９】
更に詳細には、前方部４に形成された防漏溝６０ａの幅は、後方部５に形成された防漏溝６０ｂの幅よりも大きい。
具体的には、前方部４に形成された防漏溝６０ａの幅は、１．０〜１０．０ｍｍであるのが好ましく、後方部５に形成された防漏溝６０ｂの幅は、０．１〜５．０ｍｍであるのが好ましく、両者の差は、０．９〜５．０ｍｍであるのが好ましい。
このように幅の差を設けることにより、前方部４と後方部５の防漏溝のシール強度を均一に保持することができる。
防漏溝６の深さは、特に制限はなく、通常のこの種の防漏溝が形成された生理用ナプキンと同様にすることができる。
【００１０】
本実施形態の生理用ナプキン１の各構成部材は、通常公知のものを特に制限なく用いることができる。
【００１１】
本実施形態の生理用ナプキン１は、通常の夜用の生理用ナプキンと同様にして使用することができる。
そして、本実施形態の生理用ナプキン１は、上述のように構成されているため、使用中に防漏溝６において表面シート２１と吸収体２２とが外れてしまうことがなく、防漏溝６の機能が十分に発揮され、漏れ防止性に優れる。また、このため、装着感にも優れたものである。
【００１２】
次に、本実施形態の吸収性物品の好ましい製造方法について説明する。
本実施形態の生理用ナプキン１、即ち、液保持性の吸収層及び液不透過性の防漏層を有し、実質的に縦長で、前方部に、１本又は２本の長手方向に沿った防漏溝が形成され、後方部に３本以上の長手方向に沿った防漏溝が形成されている吸収性物品の製造方法は、図３及び４に示すように、吸収層２の表面側から前記防漏溝形成用の押圧部１１０を有する押圧ロール１００により押圧して前記防漏溝を形成する防漏溝形成工程を、前方部４と後方部５とで押圧時の圧力が均一となるように行うことにより実施することができる。
ここで、前記「圧力が均一」とは、ほぼ同じ圧力がかかるように、具体的には、平均加圧力Ｐに対して、±２０％程度の誤差範囲内の圧力がかかるようにとの意である。
なお、前記防漏溝形成工程以外の工程は、通常の生理用ナプキン等の吸収性物品の製造方法と同様にして行うことができる。
【００１３】
更に詳述すると、前記防漏溝形成工程は、図３に示すように、第１吸収体２３上に第２吸収体２４を配置して吸収体２２を形成し、形成された吸収体２２の表面側に表面シート２１を載置し、所定箇所を押圧ロール１００により押圧して防漏溝６を形成し、最終に表面シート２１を吸収体２２の裏面側に巻き込むことにより行われる。なお、この工程により吸収層２が形成され、次の工程で該吸収層２を防漏層に接着固定する。
【００１４】
そして、前記防漏溝形成工程において用いられる押圧ロール１００は、図４に示すように、所望の防漏溝の形状に対応した押圧部１１０を有し、押圧部１１０における前方部を形成する前方押圧部１１１の幅は、押圧部１１０における後方部を形成する後方押圧部１１２の幅よりも大きい。
具体的には、前方押圧部１１１の幅は、１．０〜１０．０ｍｍとするのが好ましく、後方押圧部１１２の幅は、０．１〜５．０ｍｍとするのが好ましい。また、前方押圧部１１１の幅と、後方押圧部１１２の幅との差は、０．９〜５．０ｍｍとするのが好ましい。
また、押圧部１１０の高さは、０．１〜２ｍｍとするのが好ましい。
また、押圧工程における押圧の条件は、押圧圧力を３５〜２５００ｋｇｆ／ｃｍ2 とするのが好ましく、押圧温度を、５０〜２５０℃とするのが好ましく、押圧時間を、０．０６〜０．６秒／個とするのが好ましい。なお、押圧は、押圧ロール１００を用いる以外は、通常のエンボス処理などの押圧処理と同様に行うことができる。
【００１５】
本実施形態のように、押圧ロールを用いて押圧を行うことにより、前方部と後方部とでそれぞれ本数が異なり、しかも何れも所定のシール強度を有する防漏溝を有する生理用ナプキン（第１の実施形態の生理用ナプキン等の本発明の吸収性物品）を、１回の押圧工程で製造することができる。このため、本発明の吸収性物品の製造方法によれば、煩雑な工程を経たり、複数回の工程を経ることなく、１回の工程で簡便に、本発明の吸収性物品を得ることができる。
【００１６】
次に、本発明の吸収性物品の第２の実施形態について説明する。
なお、以下の説明においては、特に前述した第１の実施形態と異なる点について説明する。特に説明しない点は、上述した第１の実施形態においてした説明が適宜適用される。
第２の実施形態の吸収性物品としての生理用ナプキン１においては、後方部５に形成された防漏溝６０ｂは、多数のシール部６１を所定間隔をおいて線状に形成して設けられており、シール部６１は、隣設された防漏溝のシール部６１と生理用ナプキンの幅方向に直線状に重ならないように設けられている。
更に詳細には、後方部５における防漏溝６０ｂのうち、外側に位置する防漏溝６０ｄと内方に位置する防漏溝６０ｃは、共に多数のシール部６１を線状に配して形成されているが、これらのシール部６１は、生理用ナプキン１の長手方向に各防漏溝間でずれるように配されており、幅方向に向けて引いた直線（図５に示すＬ’）上には重ならない。なお、隣接する防漏溝のシール部６１が重ならなければ良く、本実施形態においては、図５に示すように、互い違いとなるようになされている。
シール部６１の大きさ（長さ）Ｌは、０．１〜５．０ｍｍとするのが好ましく、ずれる度合い（各シール部６１の生理用ナプキンの長手方向におけるピッチＴ）は、０．１〜２０ｍｍとするのが好ましい。
また、本実施形態においては、シール部６１のみで防漏溝６０ｂが形成されている。
また、前方部４においては、第１の実施形態と同様に線状の防漏溝６０ａが形成されている。
【００１７】
本実施形態の生理用ナプキン１においても、上述した第１の実施形態の生理用ナプキンと同じ効果が奏される。
【００１８】
本実施形態の生理用ナプキンの製造方法について説明する。なお、以下の説明においては、上述した第１の実施形態の生理用ナプキンの製造方法と異なる点を得に詳述する。特に説明しない点については、上述した第１の実施形態の生理用ナプキンの製造方法においてした説明が適宜適用される。
本実施形態の生理用ナプキンの製造方法は、吸収層の表面側から前記防漏溝形成用の押圧ロール１００により押圧して前記防漏溝を形成する防漏溝形成工程を、前記前方部と前記後方部とで押圧時の圧力が均一となるように行うことにより実施することができる。
そして、この際用いる押圧ロール１００は、図６に示すように、所望の防漏溝の形状に対応した押圧部１１０を有し、該押圧部１１０の先端には、多数の突設部１２０が所定間隔を開けて該押圧部１１０の長手方向に沿って設けられており、該押圧部１１０における前記後方部を形成する部位において、突設部１２０は、隣設する押圧部１１０の突設部１２０と各押圧部１１０を横断する方向に直線状に重ならないように配されている。
各突設部位１２０の大きさ（長さ）は、０．１〜５．０ｍｍとするのが好ましい。
また、押圧工程における押圧の条件は、押圧圧力を３５〜２５００ｋｇｆ／ｃｍ2 とするのが好ましく、押圧温度を、５０〜２５０℃とするのが好ましく、押圧時間を、０．０６〜０．６秒／個とするのが好ましい。
【００１９】
なお、本発明の吸収性物品及び吸収性物品の製造方法は、上述の実施形態に制限されるものではなく、種々変形可能である。
例えば、前述の実施形態においては、前方部４に２本、後方部５に４本の防漏溝が設けられたものを例示して説明したが、前方部４は１本とすることができ、後方部５は、３本又は５本以上とすることができる。更に、前方部４には第１の実施形態に示す２本の防漏溝の他に他の溝を設けても良く、後方部５についても、同様に他の溝を設けても良い。これらの他の溝のシール強度は、特に制限されず、上述の範囲内でも範囲外でも良い。また、その配置形状も、長手方向に沿い内方に向けて湾曲した形状等種々の形状を採用できる。
【００２０】
【実施例】
〔実施例１〕
以下の構成材料を用いて、第１の実施形態の生理用ナプキンと同じ構造の生理用ナプキンを作成した。なお、前方部４側の防漏溝６０ａの幅は４ｍｍとし、後方部５側の防漏溝６０ｂの幅は、２ｍｍとした。
得られた生理用ナプキンにおけるシール強度は、防漏溝６０ａ、防漏溝６０ｃ、及び防漏溝６０ｄの何れも、１００ｃＮ／３０ｍｍであった。
【００２１】
＜構成材料＞
表面シート；ポリエチレンテレフタレート（ＰＥＴ）／ポリエチレン（ＰＥ）芯鞘型複合繊維からなる不織布。
吸収体；フラッフパルプと高吸収性ポリマーとの混合物を吸収紙で包んだものを使用。
防漏シート；ポリエチレンフィルムからなる液不透過性の防漏シート。
肌当接用シート；ＰＥＴ／ＰＥ芯鞘型複合繊維からなる不織布。
【００２２】
得られた生理用ナプキンについて、下記の評価項目について評価した。その結果を〔表１〕に示す。
＜使用中の装着感の評価＞
使用中に自分自身で感じる総合的な装着感について、無作為に（生理中でない人でも良い）選定した２５名のモニターにナプキンを２枚づつ配り、２時間使用してもらい、評価してもらった。結果は下記の評価基準にそって２５名の評価で表した。○の人が多いほど良好であることを示す。
○；良好であった。
△；やや良好であった。
×；やや悪かった。及び悪かった。
＜ナプキン使用後の外観＞
ナプキンを２枚づつ、無作為に（生理中でない人でも良い）選定した２５名のモニターに２時間使用してもらい、装着後のナプキンの防漏溝の状態を目視にて、以下の評価基準で評価してもらった。結果は、評価基準にそって２５名の評価で表した。○の人が多いほど良好であることを示す。
○；防漏溝の浮き及び切れがない。
△；防漏溝の一部に浮き及び切れがあるが気にならないレベル（浮き及び切れは非常に小さい）。
×；防漏溝の浮き及び切れがあり、外観上気になるレベル（浮き及び切れの範囲が大きい）。
【００２３】
〔実施例２〕
前記の構成材料を用いて、第２の実施形態の生理用ナプキンと同じ構造の生理用ナプキンを作成した。なお、前方部４側の防漏溝６０ａの幅は４ｍｍとし、後方部５側の防漏溝６０ｂの幅は、２ｍｍとし、後方防漏溝６０ｂのピッチＴは１．２ｍｍとした。各シール部６１の間隔Ｐは３．４ｍｍとした。
得られた生理用ナプキンにおけるシール強度は、防漏溝６０ａ、防漏溝６０ｃ、及び防漏溝６０ｄの何れも、８０ｃＮ／３０ｍｍであった。
得られた生理用ナプキンについて、実施例１と同様に評価した。その結果を〔表１〕に示す。
【００２４】
〔比較例１〕
前記の構成材料を用いて、第２の実施形態の生理用ナプキンと同じ構造の生理用ナプキンを作成した。なお、前方部４側の防漏溝６０ａの幅は４ｍｍとし、後方部５側の防漏溝６０ｂの幅は、４ｍｍとした。
得られた生理用ナプキンにおけるシール強度は、防漏溝６０ａは７０ｃＮ／３０ｍｍであったが、防漏溝６０ｃ及び防漏溝６０ｄは、３０ｃＮ／３０ｍｍであった。
得られた生理用ナプキンについて、実施例１と同様に評価した。その結果を〔表１〕に示す。
【００２５】
【表１】
0003986210.tif 000002
【００２６】
〔表１〕に示す結果から明らかなように、実施例１、２の生理用ナプキン（本発明品）は、比較例１の生理用ナプキンに比べ、使用中の装着感では浮き、切れによる肌のかぶれや使用感などが優れ、又、使用後の外観においては、ヨレ、フィット性などの点で評価が優れていることが判る。しかも、実施例１、２の生理用ナプキンは×がないことから実用上、特に優れたものであることが判る。
【００２７】
【発明の効果】
本発明の吸収性物品は、漏れ防止性能に優れ、装着性にも優れたものである。
また、本発明の吸収性物品の製造方法によれば、漏れ防止性能に優れ、装着性にも優れた吸収性物品を生産性良く得ることができる。
【図面の簡単な説明】
【図１】図１は、本発明の第１の実施形態の生理用ナプキンを示す平面図である。
【図２】図２は、図１のＸ−Ｘ断面を模式的に示す断面図である。
【図３】図３は、本発明の吸収性物品の製造方法に用いる装置の要部を示す概略図である。
【図４】図４は、図３に示す装置の一部拡大図である。
【図５】図５は、第２の実施形態の生理用ナプキンを示す一部拡大平面図（図１のY 部拡大図相当図）である。
【図６】図６は、本発明の吸収性物品の製造方法に用いる装置の要部を示す一部拡大図（図４相当図）である。
【符号の説明】
１    生理用ナプキン
２    吸収層
２１    表面シート
２２    吸収体
２３    第１吸収体
２４    第２吸収体
２５    パルプ集合体
２６    台紙
３    防漏層
３１    防漏シート
３２    肌当接用シート
４    前方部
５    後方部
６    防漏溝
６０ｅ  連結防漏溝
６１    シール部
７    防漏壁
８    フラップ
１００    押圧ロール
１１０    押圧部
１１１    前方押圧部
１１２    後方押圧部
【図１】
0003986210.tif 000003
【図２】
0003986210.tif 000004
【図３】
0003986210.tif 000005
【図４】
0003986210.tif 000006
【図５】
0003986210.tif 000007
【図６】
0003986210.tif 000008